(57)【要約】本発明は、バスルームシンク、洗面台、等に取り付けられ得るかもしれないが、主にキッチンシンクまたはカウンタートップに結合される蛇口ドアに関する。本発明の上記オブジェクトは、蛇口およびドアの単一要素として結合的に備え、温水接続および冷水接続を規定する、蛇口ドアの旋回軸が中空であり、蛇口ドアの中央コアには、温水および冷水を通過させるための導管が規定されており、上記導管は、上記中央コアの内面に設置された、薄型の、主ケーシングに通じ、当該ケーシング上で折り畳み可能な拡散器の方へ導かれ、上記導管は、対応する流量調整手段に付随している。
2014522931.tif 000002
【特許請求の範囲】
【請求項１】
洗面台、バスルームシンク、バスタブ、およびスパに取り付けられ得る、シンクまたはカウンタートップのための蛇口ドアであって、冷水および温水の流量を調整するためのバルブおよび制御器、並びに対応する給水パイプまたは導管を備え、
蛇口およびドアを単一要素として結合的に備え、
蛇口ドアの旋回軸が中空であり、かつ、温水接続および冷水接続を規定し、
蛇口ドアの中央コアには、温水および冷水を通過させるための導管が規定されており、
上記導管は、
上記中央コアの内面に設置された、薄型の、主ケーシングに通じ、
当該ケーシング上で折り畳み可能な拡散器の方へ導かれ、
上記導管は、対応する流量調整手段に付随している
ことを特徴とするシンクまたはカウンタートップのための蛇口ドア。
【請求項２】
上記流量調整手段は、上記蛇口ドアの本体に取り付けられたそれらの対応するバルブに連結され、上記蛇口ドアの内面に設置された、それぞれの手動制御器によって形成されている
ことを特徴とする請求項１に記載のシンクまたはカウンタートップのための蛇口ドア。
【請求項３】
上記流量調整手段は、対応する流量調整用の電気式バルブに付随する、上記蛇口ドアの内面に設置された、接触センサによって形成されている
ことを特徴とする請求項１に記載のシンクまたはカウンタートップのための蛇口ドア。
【請求項４】
洗浄石鹸または他の製品を、上記ケーシング上で折り畳み可能な追加のディスペンサまたは拡散器へ供給するための、追加の導管が、上記蛇口ドアの上記コアに設けられている
ことを特徴とする請求項１に記載のシンクまたはカウンタートップのための蛇口ドア。
【請求項５】
上記ケーシングまたは上記ドアの上記コアの適切な場所に設けられた、洗浄石鹸リザーバが、上記ディスペンサの上方に配置されており、ケーシング自身または上記蛇口ドアのフレームに設けられた対応する蓋を通じて利用可能である
ことを特徴とする請求項４に記載のシンクまたはカウンタートップのための蛇口ドア。
【請求項６】
当該蛇口ドアの外面に合わせて作られた収納部から、手動で引き出されることによって当該蛇口ドアが動作するとき、当該蛇口ドアの開き／閉じ位置の方への恒久的な移動に貢献する、空気ピストンまたは一組のスプリングによって補われている
ことを特徴とする請求項１に記載のシンクまたはカウンタートップのための蛇口ドア。
【発明の詳細な説明】
【発明の詳細な説明】
【０００１】
［発明の目的］
本発明は、バスルームシンク、洗面台等、さらには、バスタブ、スパ（大きいサイズで製造されたとき）に取り付けられ得るかもしれないが、主にキッチンシンクまたはカウンタートップに結合される蛇口ドアに関する。上記発明は、蛇口およびドアの結合によるものであり、その結果として両方の特徴が結合された新規性のあるオブジェクトが生じる。本発明では、本発明よりも前に２つの容積（蛇口およびドア）が必要とされたものを使用するために、１つの容積を有していればよい。
【０００２】
本発明の目的は、蛇口ドア（不使用時にシンクの空洞を閉じる）とカウンタートップとの間に連続的な表面を形成し、より多くの作業スペースを提供することによってその機能性を増加させる、キッチンカウンタートップのための最適な外観を成し遂げることにある。それは不使用状態においてモダンな構造をなし、最小限の容積を有し、さらに、例えば、石鹸ディスペンサを包含するような、他の機能を提供し、接触センサの手段によって制御を行う。
【０００３】
［背景技術］
例えば、電子レンジ、コーヒーメーカー等のような複数の装置が、今日、厨房用家具に統合され、そのような、それらの装置の上記家具への統合は、とても美的で心地よいコンビネーションを形成する。それにも関わらず、シンクがカウンタートップの表面に空洞を定めるため、厨房用家具の種類に関わらず、上記表面の外観が損なわれる。
【０００４】
上記シンクのくぼみは、事前にシンク内で使用されたいくつかの対象物および／または食器を隠すことを主な目的として、時々蓋によって覆われるが、しかしながら、１または複数の蛇口、および、１または複数の制御器は、いつも露出されており、時々、蓋の設置または保持ができなくなる。なぜなら、蛇口の位置または設置がそれを許さないからである。
【０００５】
これらの欠点の克服を図るべく、不使用状態のときにシンクの内側の方に旋回するための旋回手段が設けられた蛇口が知られている。
【０００６】
このような装置に伴う問題は、不使用状態のときにバスルームシンク内にかなり入れられる大きな要素からなるため、上記蛇口をバスルームシンク内に折り畳むために、上記バスルームシンク内は空でなければならないか、または、利用するスペースを最小限としなければならない。これは、例えば、不意の来客があったとき等、常に可能というわけではない。さらに、そのような装置は、不使用状態のときにカウンタートップと調和的に一体化することができない。
【０００７】
［発明の説明］
提案された蛇口ドアは、上述の欠点を解決するために、シンプル且つ効果的な解決方法に基づいて設計されている。以下のように、シンクが上記蛇口ドア（折り畳み可能且ついくらかの好適なシステムによって動作可能）によって、シンクまたはカウンタートップに面する端面の一つに隠されるからである。シンクが使用されないとき、蛇口ドアは折り畳まれてカウンタートップの空洞を覆い、シンクを隠す。そして、蛇口ドアは、カウンタートップ自身と連続的な表面を形成し、シンク内に食器等の対象物が存在していようと関係なくシンクは隠される。
【０００８】
より具体的には、シンクを隠すための蛇口ドアは、適切なヒンジによって折り畳みできるように取り付けられ、防水素材または防錆素材によって形成されるという特徴を有し、その上側および下側の面は、カウンタートップの色および／または素材、または、同様の外観に整えられた表面によって覆われ、外縁的フレームを含み得る。
【０００９】
本発明の他の形態によれば、それらが冷水吸入接続および温水吸入接続および流路を規定するように、ドアのヒンジシャフトが中空であり、上記蛇口ドアは、内部に、水および食器洗浄用石鹸（内部に導かれてくる）が通過する内部導管を有する、とすることも考えられる。これらの要素は、これらの導管を巡回し、開き／閉じバルブを通り抜ける前に、ディスペンサへと通じており、それらは蛇口ドアの本体の方に折り畳みできるようになっている。
【００１０】
換言すれば、そのように形成および取り付けられた上記ドアは、その内部または内面に、１またはいくつかの蛇口および給水設備、さらには、好適な供給のための蛇口、バルブの組み、遮断弁、および他の部品を組み込み可能であり、すなわち、上記ドアが閉じられるときに、蛇口およびそれらの制御器が折り畳みできるように、それらすべてのコンポーネントは折り畳み可能な上記ドアの下側の面に統合され、上記シンク内で洗浄された食器または他の対象物が存在するときも同様に、上記ドアを閉じることが可能となっている。
【００１１】
手動操作制御器は、折り畳み可能であり、冷水／温水の導管を閉じる／開く対応するバルブに作用する。
【００１２】
上記バルブは、随意的に、その開閉が接触センサによって制御されるような電気式バルブに置換され得る。接触センサは、蛇口ドアの内面から最低限突き出ているケーシング上に配置される。
【００１３】
蛇口ドアによって提供される他のオプションによれば、後者は、２つ以上のディスペンサまたは拡散器を、そのそれぞれの折り畳み可能な制御器とともに、追加することができる。石鹸リザーバに付随する第２のディスペンサが設置されるように、上記リザーバは、蛇口ドア自身（その端面を通じてアクセス可能である）、または、カウンタートップの下に設置された独立したポンプエレメントに統合される。逆浸透装置から流入する飲料水のための第３のディスペンサが、随意的に、蛇口ドアの本体に設置され得る。
【００１４】
手動で行われ得る蛇口ドアの開くおよび閉じるための動作は、スプリングまたは空気ピストンの作用によって維持される。それは、閉じ位置において、空気ピストンまたはスプリングのシステムの作用の手段によってとどまる。当該手段は、手動操作後のその閉じ位置の方向への恒久的な動作へ貢献する。モータ駆動による手段によっても動作し得る。
【００１５】
以下に記載する詳細な説明の記載を補うため、および、その好ましい実用的な実施形態による本発明の特徴のより良い理解の助けとなることを目的とするため、一組の図面が、上記詳細な説明の記載に不可欠な一部として、添付される。以下では、実例となる非制限的な特徴とともに記載されている。
【００１６】
［図面の説明］
図１は、本発明の目的に準じて形成された蛇口ドアが装備されているカウンタートップの斜視図を示す。
【００１７】
図２は、図１と同様の斜視図であるが、蛇口ドアが不使用であり隠された状態にあることが見られ、手動でそれが開かれる収納の詳細が示されている。
【００１８】
図３は、油圧の開き手段をその動作のために備えたアセンブリの詳細斜視図を示しており、その中での導管の配置を見ることができるように、蛇口ドアが透明に示されている。
【００１９】
図４は、その内面による本発明の蛇口ドアオブジェクトの斜視図を示す。上記オブジェクトは、そのディスペンサおよび制御器のために組み合わされて配置されており、単一のディスペンサを備える、本発明の最もシンプルなバージョンによる。
【００２０】
図５は、前図と同様であるが、使用状態のときの蛇口ドアに相当する図を示す。
【００２１】
図６は、図５と同様の斜視図を示すが、３つのディスペンサおよび接触センサの手段によるそのオペレーションを含む、より複雑に変形された実施形態に相当する。
【００２２】
図７は、図６と同様であるが、そのディスペンサが使用されている状態の図を示す。
【００２３】
図８は、蛇口ドアの分解図を最後に示す。
【００２４】
［発明の好適な実施形態］
上記の図面を参照すれば、蛇口ドア（３）（本発明の目的である、蛇口とドアの結合の結果生じるオブジェクトである）がシンクまたはカウンタートップへ結合されたとき、カウンタートップ（２）に統合されたシンク（１）が、どのように完全に隠されるかを見ることができる。上記蛇口の本体は上記ドアであり、その内部において、水、石鹸、等のいずれかのエレメントが供給され、巡回する。そして、好ましい動作のためのバルブおよび他の動作要素が取り付けられ、図２では、その不使用状態が示されており、各ヒンジシャフト（４）が中空であり、それぞれが温水接続（５）および冷水接続（６）に対応することが、図３から見ることができる。
【００２５】
蛇口ドア（３）が閉じた状態のときに、シンク（１）の空洞に完全に隠れて、カウンタートップ（２）の全体に亘って、継続的な表面を形成するため、または、換言すれば同質の見た目を形成するため、この蛇口ドア（３）は、防錆素材によって製造されることに加えて、カウンタートップ（２）自身と同様の表面が形成されるまたは表面によって覆われる。
【００２６】
より詳しくは、図３および８によれば、蛇口ドア（３）は、内部導管（８，８’）および随意的な他の一組の導管（８’’および８’’’）が設けられた中央コア（７）によって規定されることが好ましい。内部導管（８，８’）は、温水接続（５）および冷水接続（６）に通じる溝またはパイプである。随意的な他の一組の導管（８’’および８’’’）は、食器洗い石鹸導管または他の製品（例えば飲料水）を対象とし、上記ドアのフレーム（９）を通り抜けて、補完的な製品接続（１０，１０’）に接続される。
【００２７】
蛇口ドア（７）およびフレーム（９）は、それぞれの外側の装飾部（１１）およびそれぞれの内側の装飾部（１２）によって補われており、外側装飾部（１１）は、カウンタートップ（２）と同じ仕上がりがなされていることが好ましい。
【００２８】
引き延ばしたように整えられたケーシング（１３）は、薄型であり、蛇口ドアの内面の上部中間領域に配置されている。ケーシング（１３）上には、折り畳み可能な水拡散器（１４）が設けられており、図４および５に示されている本発明の第１の実用的な実施形態における水拡散器（１４）は、同じ旋回手段によって動作する一対の手動操作制御器（１５，１６）によって制御される。図４では、不使用状態のそれらが示されており、そのアセンブリは、最小限のスペースを利用しており、上記シンク（１）が食器および／またはグラスによって部分的に占領されていたとしても、シンク（１）における上記ドアの遮蔽を可能とする。
【００２９】
それ故、シンク（１）が使用されないとき、対象物または食器のその中への収納が可能となり、上記ドアを閉じた位置の方へ折り畳む手段によって隠すことができる。連続的な表面（または換言すれば、上記カウンタートップ（２）と同質の外観）を形成するため、その外側表面がカウンタートップ（２）と同じまたは同様の素材で製造されている。ドア（３）は、手動でまたは自動的（例えば、油圧ピストン、ガス、モータ駆動方式等を手段として）に、開くまたは閉じる動作が可能である。
【００３０】
例えば図６および７に示されているように変形された第２実施形態において、手動制御器（１５，１６）は、接触センサ（１７）と置換され得る。接触センサ（１７）は、中心的な据え付けを通じて、異なる内部導管（８，８’，８’’，および８’’’）に付随する電気式バルブ（１８）に作用する。
【００３１】
先に述べたように、蛇口ドア（３）は、一以上のディスペンサまたは拡散器が随意的に組み込まれ得る。例えば、図面に示されている小型のそれら（１４’，１４’’）は、同様に、不使用状態において最小限のスペースを利用して折り畳みできるように、ケーシング（１３）に付随する。そのような上記拡散器またはディスペンサは、洗浄石鹸または他の製品の分配のために使用され得、同様に接触センサ（１７）によって制御され得る。または、それらが補完的に制御するように配置され得る。
【００３２】
それにもかかわらず、これらのディスペンサが、洗浄石鹸などの分配を意図したものである場合、ドアのフレームまたはケーシング（１３）自身に配置された対応する蓋を通じてアクセス可能な、計量された製品を収容するリザーバは、上記蛇口の上方の適切な場所において、ケーシング（１３）自身または蛇口ドア（３）のコア（７）に設けられ得る。
【００３３】
蛇口ドア（３）を動作させるための手段に関し、そのような手段は、図３および４に示されているように、油圧シリンダ（１８）またはスプリングによって形成され得、それを１のおよび／または他の終端位置で固定するための固定装置を有し得る。
【図面の簡単な説明】
【００３４】
【図１】本発明の目的に準じて形成された蛇口ドアが装備されているカウンタートップの斜視図を示す。
【図２】図１と同様の斜視図であるが、蛇口ドアが不使用であり隠された状態にあることが見られ、手動でそれが開かれる収納の詳細が示されている。
【図３】油圧の開き手段をその動作のために備えたアセンブリの詳細斜視図を示しており、その中での導管の配置を見ることができるように、蛇口ドアが透明に示されている。
【図４】その内面による本発明の蛇口ドアオブジェクトの斜視図を示す。上記オブジェクトは、そのディスペンサおよび調整器のために組み合わされた配置されており、単一のディスペンサを備える、本発明の最もシンプルなバージョンによる。
【図５】前図と同様であるが、使用状態のときの蛇口ドアに相当する図を示す。
【図６】図５と同様の斜視図を示すが、３つのディスペンサおよび接触センサの手段によるそのオペレーションを含む、より複雑に変形された実施形態に相当する。
【図７】図６と同様であるが、そのディスペンサが使用されている状態の図を示す。
【図８】蛇口ドアの分解図を最後に示す。
【図１】
2014522931.tif 000003
【図２】
2014522931.tif 000004
【図３】
2014522931.tif 000005
【図４】
2014522931.tif 000006
【図５】
2014522931.tif 000007
【図６】
2014522931.tif 000008
【図７】
2014522931.tif 000009
【図８】
2014522931.tif 000010
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
洗面台、バスルームシンク、バスタブ、およびスパに取り付けられ得る、シンクまたはカウンタートップのための蛇口ドアであって、冷水および温水の流量を調整するためのバルブおよび制御器、並びに対応する給水パイプまたは導管を備え、
蛇口およびドアを単一要素として結合的に備え、
上記蛇口の本体が上記ドアであり、
蛇口ドアの旋回軸が中空であり、かつ、温水接続および冷水接続を規定し、
蛇口ドアの中央コアには、温水および冷水を通過させるための導管が規定されており、
上記導管は、
上記中央コアの内面に設置された、主ケーシングに通じ、
当該ケーシング上で折り畳み可能な拡散器の方へ導かれ、
上記導管は、対応する流量調整手段に付随している
ことを特徴とするシンクまたはカウンタートップのための蛇口ドア。
【請求項２】
上記流量調整手段は、上記蛇口ドアの本体に取り付けられたそれらの対応するバルブに連結され、上記蛇口ドアの内面に設置された、それぞれの手動制御器によって形成されている
ことを特徴とする請求項１に記載のシンクまたはカウンタートップのための蛇口ドア。
【請求項３】
上記流量調整手段は、対応する流量調整用の電気式バルブに付随する、上記蛇口ドアの内面に設置された、接触センサによって形成されている
ことを特徴とする請求項１に記載のシンクまたはカウンタートップのための蛇口ドア。
【請求項４】
洗浄石鹸または他の製品を、上記ケーシング上で折り畳み可能な追加のディスペンサまたは拡散器へ供給するための、追加の導管が、上記蛇口ドアの上記コアに設けられている
ことを特徴とする請求項１に記載のシンクまたはカウンタートップのための蛇口ドア。
【請求項５】
上記ケーシングまたは上記ドアの上記コアの適切な場所に設けられた、洗浄石鹸リザーバが、上記ディスペンサの上方に配置されており、ケーシング自身または上記蛇口ドアのフレームに設けられた対応する蓋を通じて利用可能である
ことを特徴とする請求項４に記載のシンクまたはカウンタートップのための蛇口ドア。
【請求項６】
当該蛇口ドアの外面に合わせて作られた収納部から、手動で引き出されることによって当該蛇口ドアが動作するとき、当該蛇口ドアの開き／閉じ位置の方への恒久的な移動に貢献する、空気ピストンまたは一組のスプリングによって補われている
ことを特徴とする請求項１に記載のシンクまたはカウンタートップのための蛇口ドア。
【国際調査報告】
2014522931.tif 000011
2014522931.tif 000012
2014522931.tif 000013
2014522931.tif 000014
2014522931.tif 000015
2014522931.tif 000016